(57)【特許請求の範囲】
【請求項１】
前端開口部が回動式の扉によって開閉自在なボックスにおいて前記ボックスに一側部がヒンジ結合された前記扉を他側部で施錠状態を保持するために扉の内面側における上下両端部に前後方向一端部が扉の内方に向くように設けられる扉施錠保持装置本体と、ボックスの前端開口部に設けられる係止金具とからなる扉施錠保持装置であって、前記扉施錠保持装置本体は、前後方向一端部から他端部側に向かって水平な切り欠き部が形成されたケーシングを備え、このケーシングの内部には前記切り欠き部の方向に対して直交する軸により支持されたキャッチ用爪部材と、この爪部材の２つの互いに平行な爪片が切り欠き部の途中を遮断すべく前記一端部側に傾斜するように爪部材を付勢するばねと、前記爪部材の前記爪片とは別の突出片に当接係合する３段の係合面を備え前記軸の長さ方向とほぼ平行に変位可能に前記ケーシングの内面との間に介在された２つのばねにより両側から支持されたスライド部材が設けられているとともに、このスライド部材の３段目の係合面に爪部材の突出片が当接係合し前記係止金具の板部の孔部に係止する前側の爪片の先端部で係止金具を切り欠き部の奥に引き込んだロック状態からスライド部材を強制的にスライドさせて２段目の係合面を経由して１段目の係合面が爪部材の突出片に当接係合するまで戻し爪部材を前記ばねの付勢力により戻すためにケーシングの前後方向他端部側に先端部がスライド部材の背面に形成された凹部に係合する操作軸がケーシングに回転自在に取り付けられ、この操作軸の頭部はケーシングの他端部より突出し、また操作軸の周りにコイル状のばねを設けてこのばねの一端をケーシング側に係止させるとともにばねの他端を前記先端部に係止させ、このばねの力に抗して操作軸を回してスライド部材をスライドさせることにより解錠操作が行なえるように構成してなることを特徴とする扉施錠保持装置。
【発明の詳細な説明】
【０００１】
【発明の属する技術分野】
本発明は各種機器類が収納され前端開口部が回動式の扉によって開閉自在なボックスにおいて、ボックスに一側部がヒンジ結合された前記扉を他側部で施錠状態を保持するために設けられる扉施錠保持装置に関するものである。
【０００２】
【従来の技術】
従来、ボックスにヒンジ結合されて回動自在に設けられた扉を閉じておくためにロック装置が設けられている。
【０００３】
このロック装置の１つとして、一般的にマグネットによる吸着手段が知られている。このようなマグネットによる吸着手段を用いて閉扉状態を保持するようにした場合、扉を開けるときはマグネットによる吸着力に抗して扉を手で手前に引かなければならず、強い引っ張り力が必要であるという問題があった。
【０００４】
【発明が解決しようとする課題】
本発明はこのような課題を解決するもので、扉のロックならびにロック解除を容易に行なえるとともに、ロック解除時に扉に引っ張る力を与えることなく扉が僅かな角度で手前に開き、そのまま扉を容易に開くことができるようにした扉施錠保持装置を提供することを目的とするものである。
【０００５】
【課題を解決するための手段】
この課題を解決するために本発明は、前端開口部が回動式の扉によって開閉自在なボックスにおいて前記ボックスに一側部がヒンジ結合された前記扉を他側部で施錠状態を保持するために扉の内面側における上下両端部に前後方向一端部が扉の内方に向くように設けられる扉施錠保持装置本体と、ボックスの前端開口部に設けられる係止金具とからなる扉施錠保持装置であって、前記扉施錠保持装置本体は、前後方向一端部から他端部側に向かって水平な切り欠き部が形成されたケーシングを備え、このケーシングの内部には前記切り欠き部の方向に対して直交する軸により支持されたキャッチ用爪部材と、この爪部材の２つの互いに平行な爪片が切り欠き部の途中を遮断すべく前記一端部側に傾斜するように爪部材を付勢するばねと、前記爪部材の前記爪片とは別の突出片に当接係合する３段の係合面を備え前記軸の長さ方向とほぼ平行に変位可能に前記ケーシングの内面との間に介在された２つのばねにより両側から支持されたスライド部材が設けられているとともに、このスライド部材の３段目の係合面に爪部材の突出片が当接係合し前記係止金具の板部の孔部に係止する前側の爪片の先端部で係止金具を切り欠き部の奥に引き込んだロック状態からスライド部材を強制的にスライドさせて２段目の係合面を経由して１段目の係合面が爪部材の突出片に当接係合するまで戻し爪部材を前記ばねの付勢力により戻すためにケーシングの前後方向他端部側に先端部がスライド部材の背面に形成された凹部に係合する操作軸がケーシングに回転自在に取り付けられ、この操作軸の頭部はケーシングの他端部より突出し、また操作軸の周りにコイル状のばねを設けてこのばねの一端をケーシング側に係止させるとともにばねの他端を前記先端部に係止させ、このばねの力に抗して操作軸を回してスライド部材をスライドさせることにより解錠操作が行なえるように構成してなることを要旨とするものである。
【０００６】
この構成により、扉を閉じるときは扉側の爪部材が２段ロック状態となるまで扉を閉じる方向に押すことにより扉は閉じられて扉の開きは防止され、扉を開くためにロック解除を行なうときは爪部材の突出片がスライド部材の２段目の係合面に当接係合した１段ロック状態から外すことにより、爪部材はコイル状のばねのばね力により勢い良く回動して、それにより扉を僅かに手前に開動させることができ、扉に引っ張る力を与えることなく扉を容易に開くことができる。
【０００７】
【発明の実施の形態】
以下、本発明の一実施の形態について、図面に基づいて説明する。
図１〜図１０において、１は各種機器類が収納されたボックスで、このボックス１の前端開口部は一側部がボックス１にヒンジにより結合された扉２によって開閉自在となっている。３は前記扉２を他側部で施錠状態を保持するために扉２の内面側における上下両端部に後述する切り欠き部が扉２の内方に向くように設けられる扉施錠保持装置本体であって、この扉施錠保持装置本体３のケーシング４は幅方向のほぼ中間部で２分割された２つのケーシング部４ａ，４ｂとを組み合わせてなり、このケーシング４の前後方向一端部から他端部側に向かって水平な切り欠き部５が形成されている。前記ケーシング４の内部には前記切り欠き部５の一側部位置で切り欠き部５の方向に対して直交する軸６により支持されたキャッチ用爪部材７と、この爪部材７の２つの互いに平行な爪片７ａ，７ｂが前方、詳しくは切り欠き部５の途中を遮断すべく前記一端部側に傾斜するように爪部材７を付勢すべく一端は一方のケーシング部４ａに係止され他端は爪部材７に係止されたコイル状のばね８と、前記爪部材７の前記爪片７ａ，７ｂとは別の突出片７ｃに当接係合する３段の係合面９ａ，９ｂ，９ｃを備え前記軸６の長さ方向とほぼ平行に変位可能に前記２つのケーシング部４ａ，４ｂの内面との間に介在された板状のばね１０およびコイル状のばね１１により支持されたスライド部材９が設けられているとともに、このスライド部材９の３段目の係合面９ｃに爪部材７の突出片７ｃが当接係合した状態からスライド部材９を強制的にスライド（変位）させて２段目の係合面９ｂを経由して１段目の係合面９ａが爪部材７の突出片７ｃに当接係合するまで戻すためにケーシング４の前後方向他端部側に先端部１２ａがスライド部材９の背面に形成された凹部９ｄに係合する操作軸１２が回転自在に取り付けられている。なお、この操作軸１２の頭部１２ｂはケーシング４の他端部より突出し、また操作軸１２の周りにコイル状のばね１３を設けてこのばね１３の一端を他方のケーシング部４ｂ側に係止させるとともにばね１３の他端を前記先端部１２ａに係止させ、このコイル状のばね１３のばね力に抗して操作軸１２を回してスライド部材９を他方のケーシング部４ｂ側に押すようにスライドさせることにより解錠操作が行なえるようになっている。１４はスライド部材９の両端の窪み部９ｅにコイル状のばね１５により外側に押し出されるように嵌入されるボールベアリングで、このボールベアリング１４は他方のケーシング部４ｂの内側面に当接してスライド部材９をスムーズにスライドできるように構成している。さらに、爪部材７は前述のように軸６により支持されるものであるが、この軸６はケーシング４を厚み方向に貫通し、先端雄ねじ部６ａにナット１６が螺合されて締め付けられる。
【０００８】
ところで、前記爪部材７は開錠時は突出片７ｃが１段目の係合面９ａに当接係合して爪片７ａ，７ｂの先端部が切り欠き部５の前端部側に位置して切り欠き部５の途中を遮断すべく傾斜した状態にあり、前側の爪片７ａの先端部が切り欠き部５の一側部で一方のケーシング部４ａの前端内面に当接し、後側の爪片７ｂの先端部が切り欠き部５を斜めに遮断しており、この状態から扉２が閉じられてボックス１の前端開口部の上下に設けた係止金具１７の板部１７ａの側面が扉２に取り付けられた扉施錠保持装置本体３のケーシング４の切り欠き部５の前端部より後側の爪片７ｂを押しながら進入することにより爪部材７がコイル状のばね８のばね力に抗して回転して爪片７ａ，７ｂの先端部が切り欠き部５に対して直角に向いて切り欠き部５を遮断し、前側の爪片７ａの先端部が係止金具１７の板部１７ａの孔部１７ｂに係止する。このとき、爪部材７の突出片７ｃはスライド部材９の２段目の係合面９ｂに当接係合した１段ロック状態となる。さらに、扉２が閉じられ係止金具１７の板部１７ａが後側の爪片７ｂを押しながら進入することにより爪部材７がコイル状のばね８のばね力に抗して回転して爪片７ａ，７ｂの先端部が後方斜めに向き、係止金具１７の板部１７ａの孔部１７ｂに係止している前側の爪片７ａの先端部で係止金具１７を切り欠き部５の奥に引き込む。このとき、爪部材７の突出片７ｃはスライド部材９の３段目の係合面９ｃに当接係合した２段ロック状態となる。このように爪部材７の突出片７ｃは１段目の係合面９ａから２段目の係合面９ｂ、２段目の係合面９ｂから３段目の係合面９ｃへと係合が切り替わるのであり、それは係合面９ａ，９ｂ，９ｃとの間に段差を付け、スライド部材９を板状のばね１０よりもばね力の強いコイル状のばね１１で一方のケーシング部４ａ側に押し付けられているからで、爪部材７の突出片７ｃと１段目の係合面９ａとの係合が外れるとスライド部材９は一方のケーシング部４ａ側に移動して爪部材７の突出片７ｃは２段目の係合面９ｂに係合し、爪部材７の突出片７ｃと２段目の係合面９ｂとの係合が外れるとスライド部材９は一方のケーシング部４ａ側にさらに移動して爪部材７の突出片７ｃは３段目の係合面９ｃに係合することになる。
【０００９】
このような動作により、扉２が閉じられる直前において前述の１段ロック状態となり、扉２が閉じきった状態において前述の２段ロック状態となり、扉２の開きは防止される。
【００１０】
扉２のロック解除を行なうときは、扉２の前面に突出するように取り付けられた操作軸１２の頭部１２ｂに形成してある−状の溝部１２ｃに先端が−状に尖ったキーを扉２の前方より係合して、キーにより操作軸１２を前記コイル状のばね１３のばね力に抗して回してスライド部材９を他方のケーシング部４ｂ側にコイル状のばね１１のばね力に抗して押すようにスライドさせることによりロック時とは逆の動作でコイル状のばね８のばね力により解除方向に付勢されている爪部材７の突出片７ｃとスライド部材９の３段目の係合面９ｃとの係合が外れ、続いて爪部材７の突出片７ｃとスライド部材９の２段目の係合面９ｂとの係合が外れて、爪部材７の突出片７ｃはスライド部材９の１段目の係合面９ａに係合し、ロック解除がなされる。なお、このロック解除時に前記爪部材７はコイル状のばね８により互いに平行な爪片７ａ，７ｂが前方に傾斜するように付勢されているので、爪部材７の突出片７ｃがスライド部材９の２段目の係合面９ｂとの係合が外れた後は、コイル状のばね８のばね力により爪部材７は勢い良く回動し、その結果爪部材７の後側の爪片７ｂでボックス１側の係止金具１７の板部１７ａを押し、扉２が僅かに手前に開動することになり、扉２に引っ張る力を与えることなく扉２を容易に開くことができる。
【００１１】
【発明の効果】
以上のように本発明によれば、扉を閉じるときは扉側の爪部材が２段ロック状態となるまで扉を閉じる方向に押すことにより扉は閉じられて扉の開きは防止され、扉を開くためにロック解除を行なうときは爪部材の突出片がスライド部材の２段目の係合面に当接係合した１段ロック状態から外すことにより、爪部材はコイル状のばねのばね力により勢い良く回動して、それにより扉を僅かに手前に開動させることができ、扉に引っ張る力を与えることなく扉を容易に開くことができる。
【図面の簡単な説明】
【図１】本発明の一実施の形態における扉施錠保持装置本体の分解斜視図である。
【図２】同扉施錠保持装置本体の組み立て途中の状態を示す斜視図である。
【図３】図２のＡ部斜視図である。
【図４】同扉施錠保持装置本体の組み立て完成状態を示す斜視図である。
【図５】同扉施錠保持装置本体の組み立て完成状態における水平断面図である。
【図６】同扉施錠保持装置本体の組み立て完成状態における縦断面図である。
【図７】同扉施錠保持装置の取り付け状態を示す斜視図である。
【図８】同開錠時における扉施錠保持装置本体と係止金具との関係を示す断面図である。
【図９】同１段ロック状態時における扉施錠保持装置本体と係止金具との関係を示す断面図である。
【図１０】同２段ロック状態時における扉施錠保持装置本体と係止金具との関係を示す断面図である。
【符号の説明】
１                  ボックス
２                  扉
３                  扉施錠保持装置本体
４                  ケーシング
４ａ，４ｂ          ケーシング部
５                  切り欠き部
６                  軸
７                  キャッチ用爪部材
７ａ，７ｂ          爪片
７ｃ                突出片
８                  ばね
９                  スライド部材
９ａ，９ｂ，９ｃ    係合面
９ｄ                凹部
１０，１１            ばね
１２                  操作軸
１２ａ                先端部
１２ｂ                頭部
１２ｃ                溝部
１３                  ばね
１７                  係止金具
１７ａ                板部
１７ｂ                孔部
【図１】
0003611036.tif 000002
【図２】
0003611036.tif 000003
【図３】
0003611036.tif 000004
【図４】
0003611036.tif 000005
【図５】
0003611036.tif 000006
【図６】
0003611036.tif 000007
【図７】
0003611036.tif 000008
【図８】
0003611036.tif 000009
【図９】
0003611036.tif 000010
【図１０】
0003611036.tif 000011